(57)【特許請求の範囲】
【請求項１】
所定形状の金属薄板に、多数のスリットを所定方向に沿って数ｍｍのピッチで形成すると共に、そうした列を数列形成し、且つそれら各列におけるスリット相互で区画された舌片全体を所定方向に屈折傾斜させてその舌片相互間を通気孔とした換気扇用グリスフィルタであって、
上記金属薄板の正面部を複数に区割りすると共に、該区割りされた各区域において、上記多数のスリットからなる列を、プロペラファンの回転に伴い吸引される空気の流入方向に沿って形成し、且つ夫々の列における各舌片を、前記吸引される空気のフィルタ通過方向に沿って屈折傾斜させたことを特徴とする換気扇用グリスフィルタ。
【発明の詳細な説明】
【０００１】
【産業上の利用分野】
本発明は、台所の加熱調理器具の上方に設置した換気扇用のグリスフィルタに関し、更に詳しくは、金属薄板に切り起こしの手段を施して多数の通気孔を形成した、所謂スロットフィルタに関するものである。
【０００２】
【従来の技術】
台所に設置された加熱調理器具の上方に取り付けるプロペラファンタイプの換気扇は、その前面開口部に、油煙，廃ガス等に含まれる油脂分を捕獲するグリスフィルタが装着される。
またこの種グリスフィルタとして、旧来のグリスフィルタに比べ比較的少ない通気抵抗でありながら高い油脂捕獲率が得られ、且つ清掃性にも優れている所謂スロットフィルタが従来から知られている（例えば、実公平２−４３４５６号参照）。
このスロットフィルタを図８，図９を参照して説明すれば、100 は換気扇の前面開口部に装着する金属薄板で、この金属薄板100 には、多数のスリット101 ，101 …が一方向、ここでは縦方向に沿って数ｍｍのピッチで形成され、そうした列102 を数列形成すると共に、それら各列102 におけるスリット101 ，101 相互で区画された舌片103 全体を一方向、ここでは金属薄板100 の高さ方向（図面では上下方向）に対し上側から下側に向けて下り傾斜状に屈折傾斜（切り起こし）させてその舌片103 ，103 相互間に通気孔104 を形成している。図中の矢印200 は前記した舌片103 の傾斜方向を示す。
【０００３】
このような構成からなるスロットフィルタによれば、通気孔104 が舌片103 の傾斜によって斜めに開口することから、プロペラファンの回転により吸引される空気はストレートに通過できず、蛇行して通過するため油煙，廃ガス等に含まれる油脂分の捕獲効率はパンチングメタルよりも高く、しかも金属薄板に切り起こしを施して形成されるためラス網や金網からなるフィルタと比較して清掃性が良く、よって長期に渉り安定した機能を維持できる。
【０００４】
【発明が解決しようとする課題】
ところで近年においては、静音モータや吸音材料を用いたり、プロペラファンにおける各羽根の傾斜角度や外周縁の節弦比等を適宜に設定する等の各種手段を採用して、吸引排気する風量の低下を招くことなく、換気扇を使用する際に生じる騒音（使用音）を出来る限り小さいものにする試みがなされている。
【０００５】
このような点について、上述した従来のスロットフィルタをより詳細に検討すると、以下の点に改善の余地を残していた。
すなわち、油煙，廃ガス等の吸引口である換気扇本体の前面開口部をスロットフィルタで塞いだ場合、プロペラファンの回転により吸い込まれる空気が通気孔を通過する際に一定値の風切り音が生じ、この風切り音が騒音発生の一因となる恐れがあった。
本発明は上述したような従来事情に鑑みてなされたものであり、その目的とする処は、換気扇の前面開口部に装着して使用するスロットフィルタにおいて、プロペラファンの回転により吸引される空気がフィルタの通気孔を通過する際に生じる風切り音を従来に比して低減させて、吸引排気する風量，油脂分の捕獲効率，清掃性の良さ等の点は従来のスロットフィルタと同等程度としながら、静音特性の向上を図ることにある。
【０００６】
【課題を解決するための手段】
本発明者等はプロペラファンタイプの換気扇についてさらに検討を重ね、プロペラファンの回転により吸引される空気がプロペラファンの回転方向（図８中の矢印Ｂ）と反対方向に渦を巻く（同図中の矢印Ｃ参照）ようにして吸引されるのに対し、従来のスロットフィルタは多数のスリットが一方向に沿って形成され、且つ一方向に屈折傾斜させた舌片相互間に通気孔を形成しており、よって、スロットフィルタにおける正面部の特定区域（図８に示すスロットフィルタにあっては金属薄板100 の左右両側及び下側区域）では、吸引される空気の流入を阻害する方向に舌片が傾斜する（図９中の矢印Ｄ11参照）ので、該空気が通気孔を通過する際の抵抗が大きくなり、このことが風切り音発生に大きく影響することを知見した。その結果、多数の舌片夫々の傾斜方向を、吸引される空気の流入方向，フィルタ通過方向に個々に対応せしめることが、風切り音を低減させるために不可欠の要因であることを見出し、本発明を完成するに至った。
【０００７】
すなわち本発明は、所定形状の金属薄板に、多数のスリットを所定方向に沿って数ｍｍのピッチで形成すると共に、そうした列を数列形成し、且つそれら各列におけるスリット相互で区画された舌片全体を所定方向に屈折傾斜させてその舌片相互間を通気孔とした換気扇用グリスフィルタであって、上記金属薄板の正面部を複数に区割りすると共に、該区割りされた各区域において、上記多数のスリットからなる列を、プロペラファンの回転に伴い吸引される空気の流入方向に沿って形成し、且つ夫々の列における各舌片を、前記吸引される空気のフィルタ通過方向に沿って屈折傾斜させたことを特徴とする。
【０００８】
金属薄板の正面部を複数に区割りする形態としては、例えば、各区域が縦横方向に並ぶようにする区割り形態、各区域がプロペラファンの回転方向に沿って相互に隣接するよう放射状に区割りする形態など、種々の対応が考えられる。
また、区割りした各区域における夫々の列の形成方向の形態としては、例えば、各区域が縦横方向に並ぶようにする区割りした場合は、隣接する区域相互の一方において各列を縦方向に縦設し、他方において各列を横方向に横設することが考えられる。各区域がプロペラファンの回転方向に沿って相互に隣接するよう放射状に区割りした場合は、各区域において、夫々の列がプロペラファンの回転方向に沿って形成することが考えられる。
【０００９】
【作用】
本発明の構成によれば、金属薄板の正面部の区割りされた各区域において、多数の舌片夫々が、吸引される空気の流入を阻害しない方向、換言すれば、吸引される空気の通過を可及的にガイドする方向に傾斜し、この結果、空気が通気孔を通過する際の抵抗が小さくなって風切り音が低減する。
また、通気孔の開口面積は従来と同等であり、且つ前記の如く、区割りされた各区域において夫々の舌片が空気の流入を阻害しない方向に傾斜するので、吸引排気する風量が低下する虞れはない。
さらに、夫々の通気孔は従来同様に舌片の傾斜によって斜めに開口することから、プロペラファンの回転により吸引される空気はストレートに通過できず、蛇行して通過するため油煙，廃ガス等に含まれる油脂分の捕獲効率が高く、しかも金属薄板に切り起こしを施して形成されるため清掃性が良い。
よって本発明に係る換気扇用グリスフィルタによれば、吸引排気する風量，油脂分の捕獲効率，清掃性の良さ等の点は従来のスロットフィルタと同等程度としながら、優れた静音特性を得ることが可能になる。
【００１０】
【実施例】
以下、実施例を図面に基づいて説明すると、図１（イ）は本実施例のグリスフィルタＡの正面図を示し、該グリスフィルタＡは図示しないが、換気扇の前面開口部を塞ぐよう従来周知な手段で換気扇前面側に取り付けられる。Ｂはその換気扇に内設されるプロペラファンの回転方向、Ｃ1 〜Ｃ4 は該プロペラファンの回転により吸引される空気の流入方向を表し、該空気Ｃ1 〜Ｃ4 は図示の如くプロペラファンの回転方向Ｂと反対方向に渦を巻くようにして吸引されるようになる。
またグリスフィルタＡは、アルミニウム製，ステンレス製等の薄板１を所定の大きさの四角形状に裁断し、その金属薄板（平板）１に、多数のスリット２，２…を所定方向に沿って数ｍｍのピッチで形成すると共に、そうした列ａを数列形成し、且つそれら各列ａにおけるスリット２，２相互で区画された舌片３全体を後述する方向に屈折傾斜（切り起こし）させてその舌片３，３相互間を通気孔４とした所謂スロットフィルタと呼称されるものである。
【００１１】
上記金属薄板１はその正面部を複数に区割りされ、詳しくは、区割りされた各区域ｂ1 〜ｂ4 が正面視矩形状を呈すると共にそれら各区域ｂ1 〜ｂ4 相互が縦横方向に並び、且つ金属薄板１中央に残した正面視四角形状の閉塞部１ａを前記夫々の区域ｂ1 〜ｂ4 によって囲むよう４分割し、さらにその区割りされた各区域ｂ1 〜ｂ4 において、多数のスリット２，２…からなる列ａを、プロペラファンの回転に伴い吸引される空気の流入方向Ｃ1 〜Ｃ4 に沿って形成し、且つ夫々の列ａにおける各舌片３，３…を、前記吸引される空気のフィルタ通過方向に沿って屈折傾斜させている。
【００１２】
多数のスリット２，２…からなる列ａを形成する方向を図１（イ）に基づき詳述すれば、右側上段の区域ｂ1 では、該区域ｂ1 に対して右側から流入する空気の流れＣ1 に沿って各スリット２が横一列に並ぶようにし、この結果、各列ａにおけるスリット２，２相互で区画された舌片３、及び、該舌片３を屈折傾斜させることにより形成される通気孔４は、流入する空気に対してほぼ直交する方向に形成されるようになる。
同様にして、左側上段の区域ｂ2 では、該区域ｂ2 に対して上側から流入する空気の流れＣ2 に沿って各スリット２が縦一列に並ぶようにし、左側下段の区域ｂ3 では、該区域ｂ3 に対して左側から流入する空気の流れＣ3 に沿って各スリット２が横一列に並ぶようにし、右側下段の区域ｂ4 では、該区域ｂ4 に対して下側から流入する空気の流れＣ4 に沿って各スリット２が縦一列に並ぶようにし、この結果、夫々の区域ｂ1 〜ｂ4 において、各舌片３及び通気孔４は流入する空気に対してほぼ直交する方向に形成されるようになる。
【００１３】
区割りされた各区域ｂ1 〜ｂ4 における舌片３の屈折傾斜方向を図１（イ）に基づき詳述すれば、右側上段の区域ｂ1 では、該区域ｂ1 に対して右側から流入し、且つ通気孔４を通過して金属薄板１の裏側へ吸引される空気のフィルタ通過方向（図１（ロ）中の矢印Ｄ1 ）に沿って傾斜せしめ、換言すれば、当該区域ｂ1 における空気のフィルタ通過方向上流側（図面では右側）から同通過方向下流側（同左側）へ向けて下り傾斜となるように各舌片３を傾斜せしめる。尚、矢印Ｅ1 は前記した舌片３の傾斜方向を示す。
同様にして、左側上段の区域ｂ2 では、該区域ｂ2 に対して上側から流入し、且つ通気孔４を通過して金属薄板１の裏側へ吸引される空気のフィルタ通過方向に沿って傾斜せしめ、換言すれば、当該区域ｂ2 における空気のフィルタ通過方向上流側（図面では上側）から同通過方向下流側（同下側）へ向けて下り傾斜となるように各舌片３を傾斜せしめる。矢印Ｅ2 は前記した舌片３の傾斜方向を示す。
左側下段の区域ｂ3 では、該区域ｂ3 に対して左側から流入し、且つ通気孔４を通過して金属薄板１の裏側へ吸引される空気のフィルタ通過方向（図１（ハ）中の矢印Ｄ2 ）に沿って傾斜せしめ、換言すれば、当該区域ｂ3 における空気のフィルタ通過方向上流側（図面では左側）から同通過方向下流側（同右側）へ向けて下り傾斜となるように各舌片３を傾斜せしめる。矢印Ｅ3 は前記した舌片３の傾斜方向を示す。
右側下段の区域ｂ4 では、該区域ｂ4 に対して下側から流入し、且つ通気孔４を通過して金属薄板１の裏側へ吸引される空気のフィルタ通過方向に沿って傾斜せしめ、換言すれば、当該区域ｂ4 における空気のフィルタ通過方向上流側（図面では下側）から同流入方向下流側（同上側）へ向けて下り傾斜となるように各舌片３を傾斜せしめる。矢印Ｅ4 は前記した舌片３の傾斜方向を示す。
【００１４】
而して、以上の構成からなる本実施例のグリスフィルタＡによれば、金属薄板１の正面部の区割りされた各区域ｂ1 〜ｂ4 において、多数の舌片３，３…夫々が、プロペラファンの回転により吸引されフィルタを通過する空気の流入を阻害しない方向、換言すれば、吸引される空気の通過を可及的にガイドする方向に傾斜し、この結果、空気が通気孔４を通過する際の抵抗が小さくなって風切り音が低減する。
また、通気孔４の開口面積は従来と同等であり、且つ前記の如く、区割りされた各区域ｂ1 〜ｂ4 において夫々の舌片３が空気の流入を阻害しない方向に傾斜するので、吸引排気する風量が低下する虞れはない。
さらに、夫々の通気孔４は従来同様に舌片３の傾斜によって斜めに開口することから、プロペラファンの回転により吸引される空気はストレートに通過できず、蛇行して通過するため油煙，廃ガス等に含まれる油脂分の捕獲効率はパンチングメタルよりも高く、しかも金属薄板１に切り起こしを施して形成されるためラス網や金網からなるフィルタと比較して清掃性が良い。
よって、吸引排気する風量，油脂分の捕獲効率，清掃性の良さ等の点は従来のスロットフィルタと同等程度としながら、優れた静音特性を得ることが可能になる。
【００１５】
以下、本発明が要旨とする静音特性の向上とは直接的な関連はないが、本実施例においては本発明が対象とするグリスフィルタ（スロットフィルタ）における油脂分の捕獲効率を向上させるために特に有用な構成を採用しており、該構成について具体的な数値をあげて説明する。
すなわち、金属薄板１は、所定の大きさ、例えば通常使用される２５ｃｍ直径のプロペラファンに対応せしめて３５０×３５０ｍｍ程度に裁断され、また夫々のスリット２は３０ｍｍ程度の横幅をもって２〜５ｍｍ程度のピッチで形成され、さらに通気孔４は、スリット２相互で区画された舌片３全体を所定方向に屈折傾斜してスリット２相互間に平面部分を残すことなく１〜３ｍｍの縦幅をもって開口される。
スリット２の刻設ピッチと通気孔４の縦幅を前記の如く設定することは、油脂分の捕獲効率の向上に大きく影響する。但し、繰り返すが、本発明に係るグリスフィルタにおいて、夫々のスリット２の横幅及び形成ピッチ、通気孔４の形成手段やその縦幅などはこれに限定されず、スロットフィルタとして最低限の機能を果たすものであれば良い。
【００１６】
以下、図２〜図７に示す他の実施例について説明するが、図１に示す実施例と同一の部分は図中に同じ符号を付してその説明を省略し、上記実施例と異なる部分についてのみ説明する。
【００１７】
図２においては金属薄板１の周縁部に縁取り部５を残した実施例を示し、詳しくは、金属薄板１の正面部の周縁部分に縁取り部５を残し、該縁取り部５で囲まれる部分を複数に区割りしており、その区割り形態は、上記実施例と同様、区割りされた各区域ｂ1 〜ｂ4 が正面視矩形状を呈すると共にそれら各区域ｂ1 〜ｂ4 相互が縦横方向に並び、且つ金属薄板１中央に残した正面視四角形状の閉塞部１ａを前記夫々の区域ｂ1 〜ｂ4 によって囲むよう４分割したものである。
この実施例の場合、金属薄板１の大きさが図１に示すものと同じであれば、区割りされた各区域ｂ1 〜ｂ4 の大きさ（面積）は図１に示す実施例に比べ若干小さくなる。
【００１８】
図３においては金属薄板１中央に閉塞部１ａを残さない実施例を示し、詳しくは、区割りされた各区域ｂ1 〜ｂ4 が正面視略方形状を呈すると共にそれら各区域ｂ1 〜ｂ4 相互が縦横方向に並び、且つ金属薄板１中央に閉塞部１ａを残さないよう４分割したものである。
この実施例の場合、金属薄板１の大きさが図１に示すものと同じであれば、区割りされた各区域ｂ1 〜ｂ4 の大きさ（面積）は図１に示すものに比べ若干大きくなる。
【００１９】
図４においては、図３に示す区割り形態において金属薄板１中央に閉塞部１ａを残した実施例を示し、詳しくは、区割りされた各区域ｂ1 〜ｂ4 が正面視略方形状を呈すると共にそれら各区域ｂ1 〜ｂ4 相互が縦横方向に並ぶよう４分割し、且つ金属薄板１中央に残した正面視四角形状の閉塞部１ａを前記夫々の区域ｂ1 〜ｂ4 によって囲むよう、夫々の区域ｂ1 〜ｂ4 の角部分に方形状の切欠部６を形成したものである。
この実施例の場合、金属薄板１の大きさが図３に示すものと同じであれば、該金属薄板１中央に閉塞部１ａを残した分だけ、区割りされた各区域ｂ1 〜ｂ4 の大きさ（面積）は図３に示すものに比べ若干小さくなる。
【００２０】
図５においては、図１に示す実施例の下方に横長矩形状の区割り部分を追加した例を示す。
すなわちこの実施例では、縦長矩形状の金属薄板１’の正面部における縦方向（高さ方向）上段及び中段にあたる部分を、図１（イ）に示す区割り形態と同様、区割りされた各区域ｂ1 〜ｂ4 が正面視矩形状を呈すると共にそれら各区域ｂ1 〜ｂ4 相互が縦横方向に並び、且つ金属薄板１’中央に残した正面視四角形状の閉塞部１ａを前記夫々の区域ｂ1 〜ｂ4 によって囲むよう４分割し、さらに前記金属薄板１’の正面部における縦方向（高さ方向）下段部分は横長矩形状の最下段区域ｂ5 としたものである。
また追加された最下段区域ｂ5 には、右側下段区域ｂ4 と同様に、該区域ｂ5 に対して下側から流入する空気の流れＣ5 に沿って各スリット２が縦一列に並ぶようにすると共に、該区域ｂ5 に対して下側から流入し、且つ通気孔４を通過して金属薄板１’の裏側へ吸引される空気のフィルタ通過方向に沿って夫々の舌片３を傾斜せしめ、換言すれば、当該区域ｂ5 における空気のフィルタ通過方向上流側（図面では下側）から同通過方向下流側（同上側）へ向けて下り傾斜となるように各舌片３を傾斜せしめる。矢印Ｅ5 は前記した舌片３の傾斜方向を示す。
【００２１】
図６においては、図１に示す実施例の右側に縦長矩形状の区割り部分を追加した例を示す。
すなわちこの実施例では、横長矩形状の金属薄板１’の正面部における横方向（幅方向）左側及び中央にあたる部分を、図１（イ）に示す区割り形態と同様に４分割し、さらに前記金属薄板１’の正面部における横方向（幅方向）右側にあたる部分は縦長矩形状の側方区域ｂ6 としたものである。
また追加された側方区域ｂ6 には、右側上段区域ｂ1 と同様に、該区域ｂ6 に対して右側から流入する空気の流れＣ6 に沿って各スリット２が横一列に並ぶようにすると共に、該区域ｂ6 に対して右側から流入し、且つ通気孔４を通過して金属薄板１の裏側へ吸引される空気のフィルタ通過方向に沿って夫々の舌片３を傾斜せしめ、換言すれば、当該区域ｂ6 における空気のフィルタ通過方向上流側（図面では右側）から同通過方向下流側（同左側）へ向けて下り傾斜となるように各舌片３を傾斜せしめる。矢印Ｅ6 は前記した舌片３の傾斜方向を示す。
【００２２】
尚、図５に示す実施例の変形例として図示しないが、図１に示す実施例の上方に横長矩形状の区割り部分を追加することも可能であり、この場合、追加された最上段区域には、左側上段区域ｂ2 と同様に、該最上段区域に対して上側から流入する空気の流れに沿って各スリット２が縦一列に並ぶようにすると共に、該最上段区域に対して上側から流入し、且つ通気孔４を通過して金属薄板１’の裏側へ吸引される空気のフィルタ通過方向に沿って夫々の舌片３を傾斜せしめ、換言すれば、該最上段区域における空気のフィルタ通過方向上流側から同通過方向下流側へ向けて下り傾斜となるように各舌片３を傾斜せしめる。
【００２３】
さらに、図６に示す実施例の変形例として図示しないが、図１に示す実施例の左側に縦長矩形状の区割り部分を追加することも可能であり、この場合、追加された側方区域には、左側下段区域ｂ3 と同様に、該側方区域に対して左側から流入する空気の流れに沿って各スリット２が横一列に並ぶようにすると共に、該側方区域に対して左側から流入し、且つ通気孔４を通過して金属薄板１’の裏側へ吸引される空気の通過方向に沿って夫々の舌片３を傾斜せしめ、換言すれば、当該側方区域における空気のフィルタ通過方向上流側から同方向下流側へ向けて下り傾斜となるように各舌片３を傾斜せしめる。
【００２４】
さらにまた、図５及び図６に示す実施例若しくはその変形例にあっては、取付け対象となる換気扇の前面開口部が上記金属薄板１’に対応する縦長矩形状若しくは横長矩形状であることは云うまでもない。
【００２５】
図７においては、各区域ｂ1 〜ｂ4 がプロペラファンの回転方向に沿って相互に隣接するよう放射状に区割りした実施例を示す。
すなわちこの実施例では、金属薄板１の正面部を対角線により４面に区割りし、その区割りされた上側区域ｂ7 、左側区域ｂ8 、下側区域ｂ9 、右側区域ｂ10の夫々において、多数のスリット２，２…からなる列ａを、プロペラファンの回転に伴い吸引される空気の流入方向Ｃ1 〜Ｃ4 に沿って形成し、且つ夫々の列ａにおける各舌片３を、前記吸引される空気のフィルタ通過方向に沿って屈折傾斜させている。
【００２６】
上記スリット２の列ａを形成する方向を詳述すれば、上側区域ｂ7 では、該区域ｂ7 の左側半部に対して上側から流入する空気Ｃ2 と、該区域ｂ7 の右側半部に対して下側から流入する空気Ｃ1 との夫々の流れに対応すべく、各スリット２が横一列で且つ所定方向に傾斜して並ぶようにする。同様にして、下側区域ｂ9 では流入する空気Ｃ3 ，Ｃ4 の夫々の流れに対応すべく各スリット２が横一列で且つ所定方向に傾斜して並ぶようにする。また、左側区域ｂ8 では流入する空気Ｃ2 ，Ｃ3 の夫々の流れ、右側区域ｂ10では流入する空気Ｃ4 ，Ｃ1 の夫々の流れに対応するべく、各スリット２が縦一列ａで且つ所定方向に傾斜して並ぶようにする。この結果、各区域ｂ7 〜ｂ10において、夫々の列ａがプロペラファンの回転方向Ｂに沿って形成されると共に、各列ａにおけるスリット２，２相互で区画された舌片３、及び、該舌片３を屈折傾斜させることにより形成される通気孔４は、流入する空気に対してほぼ直交する方向に形成されるようになる。
【００２７】
また、区割りされた各区域ｂ7 〜ｂ10においては、各々の区域ｂ7 〜ｂ10における空気のフィルタ通過方向上流側から同通過方向下流側へ向けて下り傾斜となるように各舌片３を屈折傾斜せしめる。例えば上側区域ｂ7 では、夫々の舌片３が図中右側から左側に向けて下り傾斜となるよう屈折傾斜せしめ、これにより、該区域ｂ7 の左側半部においては該半部に対して上側から流入し通気孔４を通過して金属薄板１の裏側へ吸引される空気のフィルタ通過方向に沿って各舌片３が傾斜し、右側半部においては該半部に対して上側から流入し通気孔４を通過して金属薄板１の裏側へ吸引される空気のフィルタ通過方向に沿って各舌片３が傾斜するようになる。
このような構成によれば、各区域ｂ7 〜ｂ10の夫々の舌片３がより忠実に、プロペラファンの回転方向と反対方向に渦を巻くように吸引される空気の流入を阻害しない方向に傾斜するようになり、よって、空気が通気孔４を通過する際の抵抗がさらに小さくなって、風切り音がより大幅に低減し、静音特性をより向上せしめることが期待できる。
【００２８】
次に、図１、図２、図３、図４、図５に示す各実施例と、図８に示す従来例とを用いて行った騒音値テストついて述べれば、測定方法は「ＪＩＳ  Ｃ９６０３−１９７６」の第７．９に示された騒音試験法に基づいて騒音値を測定した結果を表１に示す。この測定結果から、本発明に係る換気扇用グリスフィルタが、吸引排気する風量を従来と同程度としながら、静音特性に優れた効果を奏することが確認できた。
【００２９】
【表１】
0003728330.tif 000002
【００３０】
【発明の効果】
本発明は以上説明したように、金属薄板に切り起こしの手段を施して多数の通気孔を形成した所謂スロットフィルタにおいて、前記金属薄板の正面部を複数に区割りし、該区割りされた各区域における多数のスリットからなる列を、プロペラファンの回転に伴い吸引される空気の流入方向に沿って形成し、且つ夫々の列における各舌片を、吸引される空気のフィルタ通過方向に沿って屈折傾斜させた新規な構成としたので、金属薄板の正面部の区割りされた各区域において、多数の舌片夫々が、吸引される空気の流入を可及的にガイドする方向に傾斜し、空気が通気孔を通過する際の抵抗が小さくなって、従来に比して風切り音が大幅に低減する。
よって本発明によれば、油煙，廃ガス等に含まれる油脂分の捕獲効率に優れると共に清掃性が良いというスロットフィルタの利点を有しつつ、吸引排気する風量を従来と同程度としながら、風切り音が小さく静音効果に優れた効果を奏する換気扇用グリスフィルタを提供することができた。
【図面の簡単な説明】
【図１】本発明に係る換気扇用グリスフィルタの一実施例を示し、（イ）は正面図、（ロ）は（Ｘ）−（Ｘ）線に沿う断面図、（ハ）は（Ｙ）−（Ｙ）線に沿う断面図。
【図２】本発明に係る換気扇用グリスフィルタの他の実施例を示す正面図。
【図３】本発明に係る換気扇用グリスフィルタの他の実施例を示す正面図。
【図４】本発明に係る換気扇用グリスフィルタの他の実施例を示す正面図。
【図５】本発明に係る換気扇用グリスフィルタの他の実施例を示す正面図。
【図６】本発明に係る換気扇用グリスフィルタの他の実施例を示す正面図。
【図７】本発明に係る換気扇用グリスフィルタの他の実施例を示す正面図。
【図８】従来の換気扇用グリスフィルタを示す正面図。
【図９】図８の（Ｚ）−（Ｚ）線に沿う断面図。
【符号の説明】
Ａ：グリスフィルタ
１：金属薄板
２：スリット
３：舌片
４：通気孔
ａ：スリットの列
ｂ1 〜ｂ10：区割りされた区域
Ｂ：プロペラファンの回転方向
Ｃ1 〜Ｃ6 ：吸引される空気の流れ
Ｄ1 ，Ｄ2 ：吸引される空気のフィルタ通過方向
Ｅ1 〜Ｅ6 ：舌片の傾斜方向
【図１】
0003728330.tif 000003
【図２】
0003728330.tif 000004
【図３】
0003728330.tif 000005
【図４】
0003728330.tif 000006
【図５】
0003728330.tif 000007
【図６】
0003728330.tif 000008
【図７】
0003728330.tif 000009
【図８】
0003728330.tif 000010
【図９】
0003728330.tif 000011